(57)【特許請求の範囲】
【請求項１】
通信装置のユーザーが複数のデータレシピエントの内の１つ以上とデータアイテムを共有する方法において、前記データレシピエントが前記ユーザーと直接無線通信する別の通信装置にアクセスしている別の人または人々のグループであり、
共有する１つ以上のデータアイテムを選択するステップと、
前記通信装置のタッチセンサー式ディスプレイ上の二次元幾何学的空間にシンボルを表示させるステップであって、各シンボルが前記データレシピエントの人またはグループの表示を含み、前記シンボルの１つ以上を、前記シンボルが表す人またはグループのユーザーに関する物理的または概念上の位置を反映するように位置決めするステップと、
対応するシンボルによって表される対象のレシピエントに前記通信装置を向けることによって前記１つ以上のデータアイテムの送信先として前記シンボルを１つ以上選択するステップであって、前記シンボルを１つ以上選択するステップがさらに、任意の選択されるシンボルが前記ディスプレイ上の自動選択位置に現れるように、前記ディスプレイを垂直方位に保持するステップを含む、ステップと、
前記ユーザーが前記通信装置の物理空間的方位を略水平面から外れるように移動させると、前記シンボルに関連する画像を三次元物理空間に浮いているかのように表示させるステップであって、それによって、ディスプレイが前記ユーザーの周囲の前記三次元物理空間へのウィンドウであるように見えるステップと、
前記ユーザーが（i）前記ユーザーを表すタッチセンサー式ディスプレイの中央部分を指でタッチすることによって、及び（ii）前記向けられた対象のレシピエントのシンボルに向けてまたは前記シンボルにまで前記指をフリッキングするか、またはスライドすることによって前記１つ以上のデータアイテムを前記向けられた対象のレシピエントと共有するステップとを含むことを特徴とする方法。
【請求項２】
請求項１に記載の方法において、前記シンボルの少なくとも１つが、別の通信装置を介して別の人によってアクセス可能な仮想または実際の記憶場所であるデータレシピエントを表すことを特徴とする方法。
【請求項３】
請求項２に記載の方法において、前記仮想または実際の記憶場所が、仮想のギャラリー、図書館、パーセル、または郵便ポストであることを特徴とする方法。
【請求項４】
請求項１に記載の方法において、前記共有ステップが、前記１つまたは複数のデータアイテムへのアクセスを許可された対象となるレシピエントへの通知を含むことを特徴とする方法。
【請求項５】
請求項１に記載の方法において、前記共有ステップが、対象となるレシピエントのデータメモリへの、前記１つまたは複数のデータアイテムの少なくとも読み取り可能なバージョンの転送を含むことを特徴とする方法。
【請求項６】
請求項１に記載の方法において、前記ディスプレイは、タッチセンサー式スクリーンであり、前記シンボルの１つ以上を選択する前記ステップが、前記シンボルの各々をタッチすることを含むことを特徴とする方法。
【請求項７】
請求項１に記載の方法において、前記ディスプレイは、タッチセンサー式スクリーンであり、前記選択ステップは、前記ユーザーが、指を使ってその人自身を表す前記スクリーンの中心部分をタッチし、前記シンボルに向けて、または前記シンボルにまで前記指をフリッキングさせる、またはスライドさせることを含むことを特徴とする方法。
【請求項８】
請求項１に記載の方法において、前記通信装置が、前記装置の物理空間的方位の計算を可能にするセンサーを有し、前記表示ステップが、前記物理空間的方位が変化する際に、前記二次元空間位置と物理空間との一致を維持できるように前記ディスプレイ上で前記シンボルの位置を移動させることを含むことを特徴とする方法。
【請求項９】
請求項１に記載の方法において、前記装置が、その背面にカメラを備え、前記関連画像が、拡張現実効果をもたらすように、前記カメラの画像の背景上に表示されることを特徴とする方法。
【請求項１０】
請求項１に記載の方法において、前記位置は、物理的な位置であり、地図上のある位置として表されることを特徴とする方法。
【請求項１１】
ユーザーが複数のデータレシピエントの内の１つ以上とデータアイテムを共有することを可能にするシステムにおいて、前記データレシピエントが前記ユーザーと直接無線通信する別の通信装置にアクセスしている別の人または人々のグループであり、
タッチセンサー式ディスプレイを含むユーザーインターフェースを備えた通信装置と、
共有する１つ以上のデータアイテムを選択するためのデータアイテムセレクターと、
前記ディスプレイ上の二次元幾何学的空間にシンボルを表示させるためのシンボル表示コントローラであって、各シンボルが前記データレシピエントの人またはグループの表示を含み、前記シンボルの１つ以上を、前記シンボルが表す人またはグループのユーザーに関する物理的または概念上の位置を反映するように位置決めするシンボル表示コントローラと、
前記１つまたは複数のデータアイテムの送信先として、前記シンボルを１つ以上選択する送信先セレクターであって、前記選択されたシンボルが表す対象のレシピエントに前記通信装置を向けることによってシンボルを選択する送信先セレクターにおいて、任意の選択されるシンボルが前記ディスプレイ上の自動選択位置に現れるように、前記ディスプレイを垂直方位に保持することによって前記シンボルの１つ以上を選択する送信先セレクターと、
前記ユーザーが前記通信装置の物理空間的方位を略水平面から外れるように移動させると、前記シンボルに関連する画像を三次元物理空間に浮いているかのように表示され、それによって、ディスプレイが前記ユーザーの周囲の前記三次元物理空間へのウィンドウであるように見え、
前記ユーザーが（i）前記ユーザーを表すタッチセンサー式ディスプレイの中央部分を指でタッチすることによって、及び（ii）前記向けられた対象のレシピエントのシンボルに向けてまたは前記シンボルにまで前記指をフリッキングするか、またはスライドすることによって前記１つ以上のデータアイテムを前記向けられた対象のレシピエントと共有するためのデータ共有機とを具えることを特徴とするシステム。
【発明の詳細な説明】
【技術分野】
【０００１】
本発明は、ユーザーのグループ間でデータアイテムを共有するためのコンピュータによる方法、システム、およびコントローラに関する。
【背景技術】
【０００２】
人々の間でデジタル情報を共有することは、コンピュータ時代の普遍的特徴である。常時接続のパーソナルモバイル機器の出現や、１バイト当たりのコストの大幅な低下および回線容量の増加に伴い、人々のグループ間で電子的に大量のデータアイテムを共有することに対する需要が高まっている。共有されるデータアイテムは、通常、友人や家族間で共有される写真等の個人的性質のものであるが、広範囲にわたるデータ共有の使用は、商業的、専門的、および軍事的な面を含む人間の活動のあらゆる面に及んでいる。
【０００３】
人々の間でのデータの共有および転送をインターフェースするための枠組みは、ユーザーが添付ファイルを付けて、あるいは添付ファイルなしでメッセージを別のユーザーまたは配布先リスト上の複数のユーザーに送る電子メールソフト等のパーソナルコンピュータソフトウェアモデルに依然として基づくところが大きい。電子メールのインターフェースは、通常、受信した、あるいは送信したメッセージをスクロール可能リストに表示し、レシピエントの選択は、別のスクロール可能リストからレシピエントを選択することにより達成される。主に小型の携帯機器での操作に限定されるが、ＳＭＳテキストメッセージングは、リストに基づく電子メールモデルを模範とする。
【０００４】
使用間でデータアイテムを共有するための、より直観的で、使いやすい、非公式のインターフェース、特に、個人の小さなグループ間での通信の一般的状況に最も適したインターフェースに対する必要性が高まっている。
【０００５】
本発明の発明者らは、空間的位置を表現することへの自然な関心を活用する、特にタッチスクリーンに適した、個人間でのデータアイテムの共有をインターフェースするための、かなり改良された方法を発見した。
【発明の概要】
【０００６】
本発明の第１の態様によれば、通信装置のユーザーが複数のデータレシピエントの内の１つ以上とデータアイテムを共有するための方法において、
共有する１つ以上のデータアイテムを選択するステップと、
ディスプレイ上の二次元幾何学的空間にシンボルを表示させるステップであって、シンボルの少なくとも幾つかは、データレシピエントの個人またはグループを表すステップと、
１つまたは複数のデータアイテムの送信先としてシンボルを１つ以上選択するステップと、
１つまたは複数のデータアイテムを１つまたは複数の送信先と共有するステップと、
を含む方法が提供される。
【０００７】
ある実施形態においては、シンボルの少なくとも１つが、他の通信装置にアクセスしている別の人または人々のグループであるデータレシピエントを表す。
【０００８】
ある実施形態においては、シンボルの少なくとも１つが、各々の通信装置を介して別の人によってアクセス可能な仮想または実際の記憶場所であるデータレシピエントを表す。仮想または実際の記憶場所は、仮想のギャラリー、図書館、パーセル、または郵便ポストであってもよい。
【０００９】
ある実施形態においては、共有ステップは、１つまたは複数のデータアイテムへのアクセスを許可された対象となるレシピエントへの通知を含んでいてもよい。代わりに、またはそれに加えて、共有ステップは、対象となるレシピエントのデータメモリへの、１つまたは複数のデータアイテムの少なくとも読み取り可能なバージョンの転送を含んでいてもよい。
【００１０】
ある実施形態においては、ディスプレイは、タッチセンサー式スクリーンであり、シンボルの１つ以上を選択するステップは、シンボルの各々をタッチすることを含む。別の実施形態においては、ディスプレイは、タッチセンサー式スクリーンであり、選択ステップは、ユーザーが、指を使ってその人自身を表すスクリーンの中心部分をタッチし、シンボルに向けて、またはシンボルへと指をフリッキングさせる、またはスライドさせることを含む。
【００１１】
ある実施形態においては、二次元空間にシンボルを表示させるステップは、シンボルの１つ以上を、シンボルが表すデータレシピエントの物理的または概念上の二次元空間位置を反映するように空間に位置決めすることを含む。位置が物理的な位置である場合、位置は、地図上のある位置として表されてもよい。
【００１２】
ある実施形態においては、通信装置は、装置の物理空間的方位の計算を可能にするセンサーを有し、表示ステップは、物理空間的方位が変化する際に、二次元空間位置と物理空間との一致を維持するようにディスプレイ上でシンボルの位置を移動させることを含む。シンボル選択のステップは、シンボルがディスプレイ上の自動選択位置に現れるように、装置をある空間的方位に保持することを含み得る。
【００１３】
ある実施形態においては、ユーザーが装置の方位を略水平面から外れるように移動させると、シンボルに関連する画像を三次元物理空間に浮いているかのように表示させ、それによって、ディスプレイがユーザーの周囲の三次元物理空間へのウィンドウであるように見えるステップを方法がさらに含む。装置は、その背面にカメラを備え、関連画像は、拡張現実効果をもたらすように、カメラの画像の背景上に表示されてもよい。
【００１４】
本発明の第２の態様によれば、ユーザーが複数のデータレシピエントの内の１つ以上とデータアイテムを共有することを可能にするシステムにおいて、
ディスプレイを含むユーザーインターフェースを備えた通信装置と、
共有する１つ以上のデータアイテムを選択するためのデータアイテムセレクターと、
ディスプレイ上の二次元幾何学的空間に、少なくともその内の幾つかがデータレシピエントの個人またはグループを表すシンボルを表示させるためのシンボル表示コントローラと、
１つまたは複数のデータアイテムの送信先として、シンボルを１つ以上選択する送信先セレクターと、
１つまたは複数のデータアイテムを１つまたは複数の送信先と共有するためのデータ共有機と、
を含むシステムが提供される。
【００１５】
本発明の第３の態様によれば、ディスプレイを含むユーザーインターフェースを備えた通信装置のユーザーが、複数のデータレシピエントの内の１つ以上とデータアイテムを共有することを可能にするコントローラにおいて、
共有する１つ以上のデータアイテムを選択するためのデータアイテムセレクターと、
ディスプレイ上の二次元幾何学的空間に、少なくともその内の幾つかが他のデータレシピエントの個人またはグループを表すシンボルを表示させるためのシンボル表示コントローラと、
１つまたは複数のデータアイテムの送信先として、シンボルを１つ以上選択する送信先セレクターと、
１つまたは複数のデータアイテムを１つまたは複数の送信先と共有するためのデータ共有機と、
を含むコントローラが提供される。
【００１６】
本発明の第４の態様によれば、コンピュータ装置によって実行された際に、コンピュータ装置に本発明の第１の態様の方法を実施させるコンピュータプログラムコードが提供される。
【００１７】
本発明の第５の態様によれば、本発明の第４の態様のプログラムコードを含むコンピュータ可読媒体が提供される。
【００１８】
本発明の第６の態様によれば、本発明の第４の態様のコンピュータプログラムコードを含むデータ信号が提供される。
【図面の簡単な説明】
【００１９】
【図１】図１は、本発明のデータアイテム共有システム例のブロック図である。
【図２】図２は、本発明のある実施形態による、データアイテムの共有をインターフェースする方法に関するフロー図を示す。
【図３】図３は、本発明のある実施形態による、共有セッションにおけるディスプレイを示す。
【図４】図４は、本発明のある実施形態による、共有セッションにおけるディスプレイを示す。
【図５】図５は、本発明のある実施形態による、共有セッションにおけるディスプレイを示す。
【図６】図６は、本発明のある実施形態による、共有セッションにおけるディスプレイを示す。
【図７】図７は、本発明のある実施形態による、共有セッションにおけるディスプレイを示す。
【図８】図８は、本発明のある実施形態による、共有セッションにおけるディスプレイを示す。
【図９】図９は、本発明のある実施形態による、共有セッションにおけるディスプレイを示す。
【図１０】図１０は、本発明のある実施形態による、共有セッションにおけるディスプレイを示す。
【図１１】図１１は、本発明のある実施形態による、共有セッションにおけるディスプレイを示す。
【図１２】図１２は、本発明のある実施形態による、共有セッションにおけるディスプレイを示す。
【図１３】図１３は、本発明のある実施形態による、共有セッションにおけるディスプレイを示す。
【図１４】図１４は、本発明のある実施形態による、共有セッションにおけるディスプレイを示す。
【図１５】図１５は、三次元拡張現実を可能にする本発明の追加オプション機能の操作を示す。
【図１６】図１６は、三次元拡張現実を可能にする本発明の追加オプション機能の操作を示す。
【図１７】図１７は、三次元拡張現実を可能にする本発明の追加オプション機能の操作を示す。
【図１８】図１８は、三次元拡張現実を可能にする本発明の追加オプション機能の操作を示す。
【図１９】図１９は、三次元拡張現実を可能にする本発明の追加オプション機能の操作を示す。
【発明を実施するための形態】
【００２０】
図面を参照すると、本発明のある実施形態によるデータ共有のシステム、コントローラ、および方法の様々な態様が示されている。
【００２１】
本発明のシステムは、多数の異なる形態を取り得る。ある好ましい形態では、使用インターフェースは、タッチクリーンディスプレイによって提供され、データは、無線手段によってユーザー間で通信される。第２の形態では、インターフェースは、コンピュータスクリーン、キーボード、およびマウスによって提供されてもよく、データは、固定回線設備によって通信されてもよい。
【００２２】
好ましい形態の一般的な実施には、ＧＰＳ、加速度計、磁力計、無線三角測量、オプティックフローソフトウェア等の１つ以上の情報源によって提供され得るような、位置および方位検出機能を任意選択的に含み、また、任意選択的にカメラも含み、携帯電話ネットワークやＷｉＦｉネットワーク上で通常提供されるような無線データ通信機能にアクセスできる、Ａｐｐｌｅ（登録商標）のｉＰｈｏｎｅ（登録商標）等のタッチスクリーンインターフェースを備えたパーソナルモバイル機器が関与する。データアイテムは、通常、モバイル機器に保存されるが、ユーザーから離れた場所に保存される。
【００２３】
次に図１を参照すると、最も広いレベルでのコアコンポーネントは、ユーザーインターフェース２０およびデータアイテム共有コントローラ３０を含むデータアイテム共有システム１０であり、データアイテム共有システム１０は、ローカルおよび／またはリモートのどちらかで配置され得るデータメモリ４０と通信する。ある実施形態では、データメモリ４０は、データアイテムデータベース４２０、記述子テーブル４２２および制限タグテーブル４２１を備える。
【００２４】
ユーザーインターフェース２０のコンポーネントは、ＬＣＤスクリーン等のディスプレイ２００、およびタッチスクリーンの機能性を提供するディスプレイ２００上のタッチセンサー等の位置セレクター２１０を包含する。この典型的なモバイル実施例には、絶対位置および方位をモバイル機器に提供するＧＰＳまたは他の位置情報と併せて使用され得る加速度計および磁力計等の移動および方位センサー２２０も設けられる。
【００２５】
データアイテム共有コントローラ３０は、ユーザーインターフェース２０およびデータメモリ４０とデータ通信を行っており、プロセッサ、一般的にはモバイル機器のＣＰＵのソフトウェアを一般的には包含する、またはそれに組み込まれる。本明細書中において、「プロセッサ」という用語は、この機能を行うことが可能で、マイクロプロセッサ、マイクロコントローラ、プログラム可能論理デバイスまたは他の計算装置、汎用コンピュータ（例えばＰＣ）、またはサーバーを包含し得るあらゆる装置を包括的に言及するために使用される。
【００２６】
メディアデータアイテムを共有するためには、データアイテムデータベース４２０は、当該分野で周知のように、各メディアアイテムに関連してテキストまたはバイナリコンテンツに基づく情報を一般的に包含する、検索および選択を支援する制限タグテーブル４２１を伴い得るが、メディアタイプ（例えば、色／白黒）等のネイティブメディア情報も包含し得る。データメモリ４０は、一般的にはネイティブ視聴覚記述子から生じるが、コンテンツベースの情報からも生じ得る、本明細書に記載するような、各メディアアイテムに関する派生記述子の記述子テーブル４２２も備え得る。
【００２７】
データメモリ４０にはまた、名前、電子アドレスまたは電話番号、およびアクセス権等の各ユーザーに関連するデータを有するユーザーテーブル４２４と、表示アイテムのリスト、もし分かれば、および／または関連があれば、それらの実際の地理的な位置、および幾何学的空間を表し、地理的な位置を反映し得る、ディスプレイ２００の二次元領域上におけるそれらの位置および関連するシンボルを包含する表示アイテムテーブル４２３とが包含される。この表示アイテムリストには、通常、異なるユーザーであることを示すユーザーシンボル、および複数のユーザーで共有され得るデータアイテムを示すデータアイテムシンボルも包含される。
【００２８】
表示アイテムテーブル４２３およびユーザーテーブル４２４は、通常、他のレシピエント（この場合、レシピエントは物理的な人である）の地理的位置等のデータを包含し、このデータは、他のレシピエントの装置も接続しているサーバー上の調整プログラムから、通信電子機器６００を介してインターネット上で継続的に更新される。このデータは、代替的に、あるいは上記に加えて、Ｂｌｕｅｔｏｏｔｈ等の任意の適切な無線通信モードを用いて、２人以上のユーザー間での直接接続を介して更新されてもよい。
【００２９】
データメモリ４０は、市内の実際の位置を示す地図にデータレシピエントを表示できる地図データをさらに備えていてもよい。
【００３０】
データアイテム共有コントローラ３０は、ディスプレイ２００上でシンボルの位置決めを行うためのシンボル表示コントローラ３１０を有する。シンボルには、レシピエントの個人またはグループを表すレシピエントシンボルと、個々のデータアイテムまたはデータアイテムの集合体を表すデータアイテムシンボルと、ユーザーがアクセス可能な仮想のパーセル、ギャラリー、郵便ポスト、または図書館を表すデータレセプタクルシンボルとが包含される。データアイテム共有コントローラ３０は、共有する１つ以上のデータアイテムの選択を行うデータアイテムセレクター３２０、データアイテムの１つ以上の送信先の選択を行う送信先セレクター３３０、および通信機器５００を介して送信先へのデータアイテムの転送または共有をもたらすデータ共有機３４０も有する。共有には、対象となるレシピエントが所有するデータメモリへの１つ以上のデータアイテムのコピーの転送、または単純に、データアイテムへのアクセスを許可される、承認を受けたレシピエントのリストにのるレシピエントの記録が含まれ得る。
【００３１】
次に図２を参照すると、本発明の方法の態様における一実施形態が、フロー図に示されている。
【００３２】
ステップ１２０１、１２０２および１２０３において、ユーザーが行う行為は、データアイテムの選択、送信先シンボルの選択、および次に、送信先シンボルが表す１つ以上のデータレシピエントとのデータアイテムの共有である。ステップ１２０５では、システムは、タッチスクリーンの移動および方位を継続的に監視する。この監視は、移動および重力場の両方を検出する加速度計と、地球の磁場、従って、その地域の地理に対するタッチ光沢の方位を検出する磁力計とによって行われる。タッチスクリーンは、例えば、テーブル表面に平行となるように、概ね水平に保持されるが、システムは、二次元幾何学的空間にシンボルを維持する（ステップ１２０４）。このモードでは、タッチスクリーンの方向が再設定されると、二次元空間的位置と物理空間との一致を維持できるように、物理空間的方位が変化するにつれてシンボルがディスプレイ上で移動し得る。タッチスクリーンが水平面から外れて保持されると、システムは、三次元拡張現実モードに入り（ステップ１２０７）、このモードでは、電話のカメラを用いて、スクリーンの後ろの景色の実時間画像にシンボルの表示をあたかも空中に浮かんでいるかのように重ね合わせる。シンボルがユーザーである場合には、個人情報が出現し得る。シンボルがあるデータアイテムを表す場合には、データアイテムの詳細が表示され得る（映画のスチール写真等）。
【００３３】
図３を次に参照すると、タッチスクリーンが水平に保持された時の二次元幾何学的空間例が示されている。このシステムは、ｉＰｈｏｎｅのアプリケーションとして実現される。スクリーンの中央は、この装置のユーザーの位置とみなされ、スクリーン上の「上」方向は、ユーザーの前の空間を表す。
【００３４】
図示されている５つのシンボルは、ユーザー等の物理的オブジェクトまたは概念上幾何学的空間に位置するデータオブジェクトのどちらかを表す。花形のシンボルは、装置のユーザーとデータ通信を行っていると登録され、その空間的位置が、装置のユーザーの前であり、かつ左側に位置する別のユーザーである。この例では、２人のユーザーが同じ部屋にいると考えるが、類似の例では、画面上の位置が物理的地図とみなされ得るので、または画面上の位置が純粋に概念的であるので、これらのユーザーは、同じ市または異なる市に存在し得る。ユーザーは、サーバーと通信することにより、他のユーザーの存在を検出することができる。これは、全地球的航法衛星システムを介して（ＧＰＳ、ＧＬＯＮＡＳＳ、Ｇａｌｉｌｅｏ、または他の類似の衛星システムを介して）、または、他の無線トランシーバー（ディファレンシャルＧＰＳまたはリアルタイムキネマティックシステム等）との通信、運動センサーを介した推測航法、軌道広がり、または他のＧＰＳ対応機器およびそれぞれの位置推定（ショートベースラインＲＴＫ）、または固定ＷｉＦｉトランシーバーとの通信を介して装置の地理的空間位置が少ない誤差で解明されるＡｓｓｉｓｔｅｄ−ＧＮＳＳを介して、達成される。他のユーザーの存在を検出するための代替の手段は、携帯機器自体のスキャナを介した（ＲＦＩＤスキャナまたはウルトラワイドバンドレーダ等、または類似の技術を介した）ものが可能である。
【００３５】
他のシンボルは、概念上空間に配置されるデータアイテムを表し、これらのデータアイテムは、他のユーザーが潜在的に自分の画面上で見ることも可能で、「共有」される。円形のシンボルは、音声ファイルを表し、フィルムのシンボルは、動画またはムービーを表し、対角線の入った正方形のシンボルは、画像を表し、×を重ね合わせた円形のシンボルは、異なる種類であり得るメディアアイテムの集合体等のパーセルを表す。
【００３６】
図４は、ユーザーが左下部の正方形のファンクションボタンにタッチした後の画面を示す。ファンクションボタンに色が付き、５つのオプションボタンが現れる。これらのボタンの内の一つは、「共有（ＳＨＡＲＥ）」のラベルが付けられており、ユーザーがそれにタッチすると、図５において色が付く。図６は、画面の底部に沿って展開するパンくずリストと共に現在現れている画面を示し、画面の主部は、ユーザーが所有するデータアイテムのカテゴリーを表すラベル領域である。ユーザーが「画像（ＩＭＡＧＥ）」にタッチすると、図７において、サブカテゴリーおよび所望であればキーワードタグのセクションを有する新しい画面が現れる。ユーザーが「日本（ｊａｐａｎ）」にタッチすると、図８に示すように、３枚の保存された写真が、それぞれの写真の中央の選択ボタンと共に現れる。ユーザーが中央の画像選択ボタンにタッチすると、図９に見られるように、その画像選択ボタンに色が付く。データアイテムの選択ステップは、これで完了する。
【００３７】
図１０には、二次元のシンボル画面が再び現れ、共有される画像のシンボル（上向きの矢印の付いた正方形）が中央に示されている。任意選択で、画像自体が背景に現れてもよい。花のシンボルで表すレシピエントの「ある人（ＳＯＭＥＯＮＥ）」が選択されるためには、ユーザーは、左を向き、磁力計の信号に応じて、図１１に示すように、レシピエントの「ある人（ＳＯＭＥＯＮＥ）」がユーザーの前にいる場合の、花のシンボルが画面の上部に現れるまで、画面上でシンボルを回転させる。この場合、「ある人（ＳＯＭＥＯＮＥ）」は、各装置にアクセスしている実際の人である。確実な選択を支援するために、画面の中央と花のシンボルとを線でつなぐ。次に、ユーザーは、画面の中央から花のシンボルに向けてフリッキングジェスチャーを行うことにより、送信先の選択を示し、これは、データアイテムを見るオプションが提供される図１２の図示で確認される。このオプションにタッチすると、図１３に示すように、データアイテムが全画面表示される。画面にタッチすることにより、図１４の二次元のシンボル表示に再び戻る（ユーザーは、「ある人（ＳＯＭＥＯＮＥ）」が左に位置する元の配置に戻っている）。
【００３８】
次に図１５〜図１９を参照して、三次元拡張現実モードの操作の実例説明をする。図１４の表示から、ユーザーは、タッチスクリーンを持ち上げて、正面に光景が見えるようにする。カメラがオンになり、図１５において、様々なシンボルが、あたかも実際の光景の前で空中に浮かんでいるかのように見える。図１６では、ユーザーが垂直になるまで画面を傾けると、フィルムシンボルのコンテンツが空中に浮かんでいるように見える。ユーザーが方位を変えると、フィルムオブジェクトも画面上で移動し、物理空間におけるフィルムオブジェクトの拡張現実感をもたらす（図１７には、フィルムオブジェクトが完全に画面の中央に位置したところを示す）。オブジェクトにタッチすることにより、図１８および図１９に示すように、動画の再生が可能となる。
【００３９】
本発明の範囲から逸脱することなく、本発明に対して他の多数の変更が可能であることも、当業者の理解することであろう。
【００４０】
以下の特許請求の範囲および本発明の上記の説明において、表現言語または必要な含意によって文脈上他の意味に解すべき場合を除き、「含む（ｃｏｍｐｒｉｓｅ）」という用語、または「ｃｏｍｐｒｉｓｅｓ」または「ｃｏｍｐｒｉｓｉｎｇ」等のバリエーションは、包括的な意味で用いられる、すなわち、記載した特徴の存在を規定するが、本発明の様々な実施形態において、さらなる特徴の存在または追加を除外するものではない。
【００４１】
さらに、ある特定の順序での方法工程の列挙は、文脈上必要である場合を除いて、一連の動作を意味するものではない。具体的には、本発明の表示ステップおよび選択ステップは、通常、並行して行われる。
【００４２】
さらにまた、「通信装置」という用語は、何らかの形態でデータ通信を送ることが可能なあらゆる装置を包含し、インターネット接続されたデスクトップコンピュータ並びに無線機器対応のＰＤＡまたは電話を含む。
【００４３】
本明細書において先行技術文献の言及がある場合は、その言及により、オーストラリアまたはどの国においても、当文献が当該分野における常識の一部を構成するという承認が得られるものではないことを理解されたい。
【図１】
0005850502.tif 000002
【図２】
0005850502.tif 000003
【図３】
0005850502.tif 000004
【図４】
0005850502.tif 000005
【図５】
0005850502.tif 000006
【図６】
0005850502.tif 000007
【図７】
0005850502.tif 000008
【図８】
0005850502.tif 000009
【図９】
0005850502.tif 000010
【図１０】
0005850502.tif 000011
【図１１】
0005850502.tif 000012
【図１２】
0005850502.tif 000013
【図１３】
0005850502.tif 000014
【図１４】
0005850502.tif 000015
【図１５】
0005850502.tif 000016
【図１６】
0005850502.tif 000017
【図１７】
0005850502.tif 000018
【図１８】
0005850502.tif 000019
【図１９】
0005850502.tif 000020